(57)【要約】【課題】流路開閉装置の筒体内部での通風抵抗をなくし、排出風量を低減させることなく、室内で収集した塵埃を確実に室外に排出させる。【解決手段】流路となる筒体１１の筒外上部に配設された揺動軸１４と、この揺動軸１４に対して一方の側に流路開閉翼１５と他方の側に重量部１６を有し、流路開閉翼１５は、流路閉時には流出口となる筒体１１の端面に当接し、かつ重量部１６は流路開時に筒体１１を挟み込むような位置に配設されたものである。この筒外にある流路開閉翼１５の揺動軸によって、筒体内部での通風抵抗をなくすものである。【選択図】図１
2006145108.tif 000002
【特許請求の範囲】
【請求項１】
流入口と、流出口と、前記流入口から前記流出口への空気流れに対して開となる一方、前記流出口から前記流入口方向への空気流れに対して閉となる流路開閉手段を有する流路が略水平の流路開閉装置であって、前記流路開閉手段は、流路となる筒体の筒外上部に配設された揺動軸と
、この揺動軸に対して一方の側に流路開閉翼と他方の側に重量部を有し、前記流路開閉翼は、流路閉時には流出口となる前記筒体の端面に当接し、かつ前記重量部は流路開時に筒体を挟み込むような位置に配設されていることを特徴とする流路開閉装置。
【請求項２】
流路開閉手段は、流路閉時には、前記重量部により生じる揺動軸周りの慣性モーメントに比べて前期流路開閉翼の重量により生じる揺動軸周りの慣性モーメントが若干大きく、かつ流路最大開時には、重量部による揺動軸周りのモーメントと流路開閉翼の重量による揺動軸周りのモーメントが釣り合うように構成されたことを特徴とする、請求項１に記載の流路開閉装置。
【請求項３】
流出口となる筒体の端面と流路開閉翼の互いに当接する部分の両方あるいは一方の一部に凸部を形成したことを特徴とする、請求項１〜２のいずれかに記載の流路開閉装置。
【請求項４】
流出口となる筒体の端面をなす断面形状が平面でないことを特徴とする、請求項１〜２のいずれかに記載の流路開閉装置。
【請求項５】
流路開閉装置の外郭に突起部を設け、前記突起部で前記流路開閉装置と係合し、かつ前記流路開閉装置を覆う筐体を設けたことを特徴とする、請求項１〜４のいずれかに記載の流路開閉装置。
【発明の詳細な説明】
【技術分野】
【０００１】
本発明は、流路の流出口において、流出口から流出する空気流れに対しては開となる一方、流出口へ流入する空気流れに対しては閉となる流路開閉手段を有する流路開閉装置に関するものである。
【背景技術】
【０００２】
従来、この種の流路開閉装置としては、流路内部に回動する流路開閉翼を有しているものがあった（例えば、特許文献１参照）。図８は流路開閉翼１を垂直に設置し、流路開閉翼の重心より上に揺動軸２を設けることにより、通常は閉状態を保ち、逆方向の風が働いた時には、流路開閉翼の回転軸より上方の面積より下方の面積が小さくなるように風回路の下部の一部を塞ぎ、逆方向からの風の進入を防いでいた。
【特許文献１】特開平１１―１０８４３１号公報
【発明の開示】
【発明が解決しようとする課題】
【０００３】
しかしながら、前記従来の構成では、室外に出しているホースの終端に流路開閉装置を付ける場合、流路開閉翼１の回転を制御するために流路開閉翼を塞ぐ閉止部３を配設するために、大きな通風抵抗が生じ、排出風量が低下するという課題を有していた。
【０００４】
また、ホースを通して、室内で収集した塵埃を室外に排出しようとした場合、閉止部３、流路開閉翼１、揺動軸２等に塵埃が付着、堆積し、流路開閉翼の揺動を妨害し、流路開閉翼の動作に不具合が生じる可能性があった。
【０００５】
また、流路開閉翼１を室外に配設されるために、換気動作の有無に寄らず、室内への風雨の侵入を防ぐ必要があった。
【０００６】
本発明は、上記従来の課題を解決するもので、排出風量を低下させることなく、かつ筒体から排出される塵埃が揺動軸部などに付着することなく、流路開閉翼の揺動動作の安定性を図り、室内の塵埃を確実に室外に排出させる流路開閉装置の提供を目的とする。
【課題を解決するための手段】
【０００７】
前記従来の課題を解決するために、本発明の流路開閉装置は、回動する流路開閉翼の揺動軸を、流路開閉装置である筒体の筒外に設け、流路開閉翼を筒体の端面に当接して封止する構成としたことである。この筒外にある流路開閉翼の揺動軸によって、筒体内部での通風抵抗をなくすものである。
【発明の効果】
【０００８】
本発明の流路開閉装置は、筒体内部での通風抵抗をなくし、排出風量を低減させることなく、室内で収集した塵埃を確実に室外に排出させることができる。
【発明を実施するための最良の形態】
【０００９】
第１の発明は、流路となる筒体の筒外上部に配設された揺動軸と、この揺動軸に対して一方の側に流路開閉翼と他方の側に重量部を有し、前記流路開閉翼は、流路閉時には流出口となる前記筒体の端面に当接し、かつ前記重量部は流路開時に筒体を挟み込むような位置に配設されたことにより、筒内での通風抵抗をなくし、室内の塵埃を確実に室外に排出させることができる。
【００１０】
第２の発明は、特に、第１の発明の流路開閉手段は、流路閉時には、揺動軸に対して前記重量部により生じるモーメントに比べて前期流路開閉翼の重量により生じる慣性モーメントが若干大きく、かつ流路最大開時には、重量部によるモーメントと流路開閉翼の重量によるモーメントが釣り合うように構成されたことにより、少流量の排出風量においても、容易に流路開閉翼が揺動して、室内の塵埃を確実に室外に排出させることができる。
【００１１】
第３の発明は、特に、第1または第２の発明において、流出口となる筒体の端面と流路開閉翼の互いに当接する部分の両方あるいは一方の一部に凸部を設け、隙間を形成したことにより、別途使用する室内換気扇による室内負圧とこの流路開閉装置の排出圧との均衡による流路開閉翼の連続揺動現象を規制することができる。
【００１２】
第４の発明は、特に、第1または第２の発明において、流出口となる筒体の端面をなす断面形状が平面でなく、流路開閉翼が当接する時に隙間を形成することにより、別途使用する室内換気扇による室内負圧とこの流路開閉装置の排出圧との均衡による流路開閉翼の連続揺動現象を規制することができる。
【００１３】
第５の発明は、特に、第１〜４の発明の流路開閉装置の外郭に突起部を設け、突起部で流路開閉装置と係合し、かつ流路開閉装置を覆う蓋板を形成することにより、換気排出時に流路開閉翼が開となっていても、室内への風雨の侵入を防ぐことができる。
【００１４】
以下、本発明の実施の形態について、図面を参照しながら説明する。
【００１５】
なお、本実施の形態によって本発明が限定されるものではない。
【００１６】
（実施の形態１）
図１は、本発明の第１の実施の形態における流路開閉装置の側断面図を、また図２は正面図を示すものである。図１において、略水平方向の流路となる筒体１１の流入口１２には、室内からのホース１３が嵌合されている。
【００１７】
筒体１１の筒外上部には揺動軸１４を有し、この揺動軸１４に対して、一方の側に流路開閉翼１５と他方の側に重量部１６を形成する流路開閉手段１７が揺動軸１４に係合されている。
【００１８】
流路開閉翼１５は、換気排出動作を行わない場合、筒体１１の流出口１８に当接している。
【００１９】
図２において、流路開閉手段１７の重量部１６は、筒体１１を挟み込むような位置に左右に配設されて、左右の揺動軸１４に係合されている。
【００２０】
以上のように構成された流路開閉装置において、室内で収集した塵埃を排出する場合、ホース１３を通った排気は、筒体１１の流出口１８で、流路開閉翼１５に当たり、揺動軸１４を支点として、流路開閉翼を上方に揺動し、開状態にさせて、室外に塵埃を排出できる。この開状態の時、左右の重量部１６は揺動して、筒体１１の外側に位置され、筒体に当たることはない。
【００２１】
このように、筒体内部には、揺動軸も流路開閉翼も存在しないため、塵埃がそれらに付着や堆積することなく、確実に室外に排出させることができる。
【００２２】
また、流路開閉翼１５は、筒体１１の流出口１８に当接するように大きく形成されているため、逆風が当たっても、流路開閉翼１５が流出口１８を閉止するため、不要な外気を
侵入防止することができる。
【００２３】
（実施の形態２）
図３は、本発明の第２の実施の形態における流路開閉装置の側断面図を示すものである。
【００２４】
本実施の形態では、流路閉時には、揺動軸１４に対して重量部１６により生じるモーメント1９ａに比べて前記流路開閉翼の重量により生じる慣性モーメント1９ｂが若干大きく、かつ流路最大開時には、重量部１６によるモーメント２０ａと流路開閉翼１５の重量によるモーメント２０ｂが釣り合うように構成されている。
【００２５】
以上のように構成された流路開閉装置において、換気排出動作を行わない場合には、流路開閉翼１５が筒体１１の流出口１８に当接しているため、室外の異臭や虫類の侵入を防止できる。
【００２６】
また、室内で収集した塵埃を排出する場合、ホース１３を通った排気は、筒体１１の流出口１８で、流路開閉翼１５に当たり、揺動軸１４を支点として、流路開閉翼を上方に揺動させるが、重量部１６によるモーメントと流路開閉翼１５の重量によるモーメントが釣り合うように形成されているため、容易に開状態となり、通風抵抗を増加させることなく、室内の塵埃を確実に室外に排出させることができる。
【００２７】
（実施の形態３）
図４は、本発明の第３の実施の形態における流路開閉装置の側断面図を示すものである。
【００２８】
本実施の形態では、流出口１８となる筒体１１の端面と流路開閉翼１５の互いに当接する部分の両方あるいは一方の一部に凸部２１を設け、流路開閉翼１５の閉時に若干の隙間２２を形成している。
【００２９】
以上のように構成された流路開閉装置において、別途、大能力の室内換気扇を使用する場合、室内は負圧となるが、この隙間２２により、流路開閉装置の排出圧と均衡することがないため、流路開閉翼は、閉状態となる。
【００３０】
よって流路開閉翼が、排出圧により開状態となったり、室内負圧により閉状態となったりする連続揺動現象による異音発生や流路開閉翼の破損を規制することができる。
【００３１】
（実施の形態４）
図５は、本発明の第４の実施の形態における流路開閉装置の側断面図を示すものである。
【００３２】
本実施の形態では、流出口１８となる筒体１１の端面をなす断面形状が一部に屈曲した面や凹部などの非平面部２３を形成し、流路開閉翼が当接する時に隙間２２を形成している。
【００３３】
以上のように構成された流路開閉装置において、別途、大能力の室内換気扇を使用する場合、室内は負圧となるが、この隙間２２により、流路開閉装置の排出圧と均衡することがないため、流路開閉翼の連続揺動現象による異音発生や流路開閉翼の破損を規制することができる。
【００３４】
また長年の使用による凸部形状の磨耗防止ができる。
【００３５】
（実施の形態５）
図６は、本発明の第５の実施の形態における流路開閉装置の正面断面図を、また図７は側断面図を示すものである。
【００３６】
本実施の形態では、図６において、流路開閉装置の外郭に３か所の突起部２４が設けられている。流路開閉装置を覆う蓋板２５は、突起部２４が蓋板２５の溝形状に係合して構成され、流出口側には開口２６が設けられている。
【００３７】
以上のように構成された流路開閉装置において、流路開閉装置は、外部に蓋板２５が取り付けられ、内部に確実に固定されるため、揺動する流路開閉手段は、外部からの障害物に接することなく、安定的に揺動動作が行われる。
【００３８】
また、雨天時に換気排出した場合、流路開閉翼１５が開状態となっていても、雨は蓋板に当り、筒体の内部に入りにくいため、室内への雨の侵入を防ぐことができる。室内の塵埃は、開口２６より確実に排出できる。
【産業上の利用可能性】
【００３９】
本発明の流路開閉装置は、室内の塵埃を排出する場合に、通風抵抗を増加させず、内部に塵埃を付着や堆積をさせることもなく、確実に排出できるため、空気調和機等の用途にも適用できる。
【図面の簡単な説明】
【００４０】
【図１】本発明の実施の形態１における流路開閉装置の側断面図
【図２】本発明の実施の形態１における流路開閉装置の正面図
【図３】本発明の実施の形態２における流路開閉装置の側断面図
【図４】本発明の実施の形態３における流路開閉装置の側断面図
【図５】本発明の実施の形態４における流路開閉装置の側断面図
【図６】本発明の実施の形態５における流路開閉装置の側断面図
【図７】本発明の実施の形態５における流路開閉装置の正面断面図
【図８】従来の流路開閉装置の側断面図
【符号の説明】
【００４１】
１１  筒体
１２  流入口
１４  揺動軸
１５  流路開閉翼
１６  重量部
１７  流路開閉手段
１８  流出口
１９ａ  流路閉時に重量部に生じるモーメント
１９ｂ  流路閉時に流路開閉翼に生じるモーメント
２０ａ  流路開時に重量部に生じるモーメント
２０ｂ  流路開時に流路開閉翼に生じるモーメント
２１  凸部
２３  非平面部
２４  突起部
２５  蓋板
【図１】
2006145108.tif 000003
【図２】
2006145108.tif 000004
【図３】
2006145108.tif 000005
【図４】
2006145108.tif 000006
【図５】
2006145108.tif 000007
【図６】
2006145108.tif 000008
【図７】
2006145108.tif 000009
【図８】
2006145108.tif 000010